(57)【要約】      （修正有）【課題】十分に視野が拡大された歪が少ない像を見ることができとともに、遠視や近視の人であっても、矯正用の眼鏡を別途必要とすることなく、近くから遠くまでピントがあった視野が拡大された像を見ることができる視野狭窄患者に適した視野拡大光学系、及びこのこの光学系を用いて、見かけが自然な視野拡大用眼鏡を提供する。【解決手段】視野拡大光学系６は、略同一光軸上に凹レンズ６７と凸レンズ６３を設け、凸レンズから凹レンズよりも外側にある物体を見るものであって、凸レンズの実効的な焦点位置Ｆ２は、凹レンズの物体側の実効的な焦点位置Ｆ１よりも物体側にある。【選択図】図４
0003187514.tif 000002
【実用新案登録請求の範囲】
【請求項１】
略同一光軸上に、凹レンズまたは凹レンズ作用を有するレンズ群と、凸レンズまたは凸レンズ作用を有するレンズ群を設け、上記凸レンズまたは凸レンズ作用を有するレンズ群側から、上記凹レンズまたは凹レンズ作用を有するレンズ群よりも外側にある物体を見る視野狭窄を矯正するための視野拡大光学系であって、
上記凸レンズまたは凸レンズ作用を有するレンズ群の物体側の実効的な焦点位置は、上記凹レンズまたは凹レンズ作用を有するレンズ群の物体側の実効的な焦点位置よりも物体側にある
ことを特徴とする視野拡大光学系。
【請求項２】
上記凸レンズまたは凸レンズ作用を有するレンズ群の外径は、上記凹レンズまたは凹レンズ作用を有するレンズ群の外径よりも小さい
ことを特徴とする請求項１に記載の視野拡大光学系。
【請求項３】
上記凸レンズまたは凸レンズ作用を有するレンズ群の外径は、人の瞳孔の一般的な大きさよりも大きい
ことを特徴とする請求項１または２に記載の視野拡大光学系。
【請求項４】
請求項１から３のいずれか１項に記載の視野拡大光学系を着用時に右目および左目の直前に位置するように構成した視野狭窄を矯正するための視野拡大用眼鏡であって、
遮光レンズを有するフレームと、
当該フレームに視野拡大光学系を固定するための支持機構と、
を備え、
上記遮光レンズは、外部から上記視野拡大光学系を視認しにくい遮光レンズである
ことを特徴とする視野拡大用眼鏡。
【請求項５】
上記フレームは、上記遮光レンズを前方方向への開閉機構である跳ね上げ式機構を有する
ことを特徴とする請求項４に記載の視野拡大用眼鏡。
【請求項６】
上記フレームは、上記遮光レンズを前方上方に略１８０度開閉する跳ね上げ式機構を有する
ことを特徴とする請求項５に記載の視野拡大用眼鏡。
【請求項７】
上記視野拡大用眼鏡着用時に、通常の眼鏡のレンズと眼球表面までの距離に比べて、上記凸レンズまたは凸レンズ作用を有するレンズ群が眼球に近く位置する
ことを特徴とする請求項４から６のいずれかに記載の視野拡大用眼鏡。
【考案の詳細な説明】
【技術分野】
【０００１】
本考案は、視野が狭くなる症状を有する患者が使用するための視野拡大光学系およびそれを用いた眼鏡に関する。
【背景技術】
【０００２】
視野の広さは、正常な人の場合には、上下方向が約６０度から７０度であり、横方向に関しては、両眼で見た場合に左右１２０度程度と言われている。
一方、視野が欠落する目の病気が広く知られている。視野狭窄と呼ばれる疾患であり、歩行時において足元が見えないため、段差でつまづきやすく、また、左右から接近する自動車等の認識が遅れるため、交通事故の危険性も有している。
【０００３】
この疾患を持つ人のために、視野を拡大するための視野拡大具が提案されている。この視野拡大具は、中央部に貫通孔を設けた凸面鏡と、凸面鏡からの反射光を反射する、凸面鏡と対向配置した結像鏡である平面鏡と、空洞体である支持体とを備える。支持体には、
凸面鏡に対する平面鏡の光軸を修正する摺動体と平面鏡回動機構を取り付けている。（例えば、特許文献１）。
【先行技術文献】
【特許文献】
【０００４】
【特許文献１】特開２００６−２８０８０７
【考案の概要】
【考案が解決しようとする課題】
【０００５】
しかしながら、上述の視野拡大具においては、視野を拡大できるものの、平面鏡が正面に配置されているため、最も大切な正面の視野が遮られるという大きな問題があった。
また、凸面鏡を用いて拡大視野を得ているため、道路に設置されているカーブミラーを用いて見える像と同様に、見える像は大きく歪んだものになってしまう。
【０００６】
以上のような課題を有するため、視野狭窄の人がこの視野拡大具を使用したとしても、道路を安全に歩行することは難しく、また、正面視野が欠落した歪んだ視野は、そもそも患者に違和感や不快感を与えるため、長い時間に渡って使用することが困難であると考えられる。
さらに、この視野拡大具を眼鏡に取り付けて使用する場合、通常の眼鏡においてレンズに相当する部分が、大きく前面に突出した形状となるため、見かけの観点からも、極めて着用しずらいものである。
【課題を解決するための手段】
【０００７】
本考案に係る視野拡大光学系は、略同一光軸上に、凹レンズまたは凹レンズ作用を有するレンズ群と、凸レンズまたは凸レンズ作用を有するレンズ群を設け、凸レンズまたは凸レンズ作用を有するレンズ群から凹レンズまたは凹レンズ作用を有するレンズ群よりも外側にある物体を見る視野狭窄を矯正するための視野拡大光学系であって、
凸レンズまたは凸レンズ作用を有するレンズ群の物体側の実効的な焦点位置は、凹レンズまたは凹レンズ作用を有するレンズ群の物体側の実効的な焦点位置よりも物体側にある
ことを特徴とする。
【０００８】
本考案に係る視野拡大用眼鏡は、視野拡大光学系を着用時に右目および左目の直前に位置するように構成した視野狭窄を矯正するための視野拡大用眼鏡であって、
遮光レンズを有するフレームと、
当該フレームに視野拡大光学系を固定するための支持機構と、
を備え、
上記遮光レンズは、外部から上記視野拡大光学系を視認しにくいレンズである
ことを特徴とする。
【考案の効果】
【０００９】
本考案に係る視野拡大光学系は上記のように構成されるため、部分欠落や歪が無く、十分に視野が拡大された像を見ることができる。さらに、遠視や近視の人であっても、矯正用の眼鏡を別途必要とすることなく、近くから遠くまでピントがあった視野拡大像を見ることができる。
また、この視野拡大光学系を取付けた眼鏡は、健常者が見る像と同様の像を、視野狭窄に悩む人に提供できる。そして、両眼視によって遠近感も得ることができる。
さらに、見かけの観点からも特に違和感が無い眼鏡を提供できる。
また、視野狭窄の多くの人が持つ光に対する不快感や目の痛みといった症状である羞明も同時に取り除くことが可能である。
【図面の簡単な説明】
【００１０】
【図１】本考案に係る視野拡大用眼鏡の斜視図である。
【図２】本考案に係る視野拡大用眼鏡の（ａ）上面図および（ｂ）部分拡大上面図である。
【図３】本考案に係る視野拡大装置の断面図である。
【図４】本考案に係る視野拡大装置の原理を説明するための図である。
【図５】本考案に係る視野拡大装置において、外視野からの光線の入射を表した図である。
【考案を実施するための形態】
【００１１】
実施の形態．
本考案に係る視野拡大光学系、および、それを用いた視野拡大用眼鏡の構成等に関して、以下において、図面を用いて説明する。なお、以下の説明は本考案に関する良好な一例を開示するものであり、本考案が当該実施の形態に限定されるものではない。
【００１２】
図１に、本考案に係る視野拡大用眼鏡１の斜視図を示す。また、図２に上面図を示す。図２（ａ）は視野拡大用眼鏡１の全体の上面図であり、（ｂ）はその一部を拡大した図である。
視野拡大用眼鏡１は、２枚の遮光レンズ２１を備えたフレーム２、テンプル３、鼻パッド４、フレーム２に固定された支持体５、２つの視野拡大光学系６、支持体５と視野拡大光学系６とを繋ぐ２本の支持棒７、および、支持棒７を支持体５に固定するためのねじ機構８からなる。
【００１３】
図１から分かるように、視野拡大用眼鏡１の外観は、通常のサングラスや眼鏡と基本的に同様であり、着用時に他者に違和感を与えるような形状ではない。ただし、視野拡大用眼鏡１は、内側に視野拡大光学系６等を設けているため、やや大きめの形状になっている。例えば、近視矯正用眼鏡の上から着用できるオーバーサングラス、あるいはオーバーグラスと呼ばれるサングラスが市販されているが、それらと同等の大きさである。
【００１４】
フレーム２に設けられた２枚の遮光レンズ２１は、通常に設けられる遮光レンズと同様のものであり、着用者の眼を日光等のまぶしさから保護するとともに、外部から視野拡大用眼鏡１の内部をはっきりと視認できないようにする役割を持っている。すなわち、内部に設けられた視野拡大光学系６等が、外部から視認しにくくなっている。
【００１５】
テンプル３および鼻パッド４に関しては、通常の眼鏡に設けられたものと同等のものである。なお、鼻パッド４は、フレーム２に直接固定されていても良いし、支持体５に固定されていても良い。
【００１６】
プラスチック等からなる支持体５をフレーム２の内側に接着により固定した。支持体５とフレーム２との固定方法については、接着に限らず、ねじ止めや嵌めこみ、あるいは一体成型で形成しても良い。
【００１７】
視野拡大光学系６に関しては、特に、図３を用いて詳細に説明する。円筒形の筒である外枠６１の一端には、同じく筒状の凸レンズ支持機構６２が固定されている。この凸レンズ支持機構６２には、凸レンズ６３を嵌めこむための溝が設けられ、そこに凸レンズ６３が嵌めこまれている。そして、外枠６１にはねじ機構６５が設けられている。ねじ調整部６６において、ねじ機構６５の締付を調整することで、外枠６１の所定位置に凸レンズ支持機構６２を固定できる。この機構により、図３において、凸レンズ支持機構６２の上下位置（眼球との距離）を調整できるようにしている。これにより、着用者に合わせたピント合わせの微調整を行うことができる。
なお、このピント合わせの微調整機構としては、外枠６１の内側に雌ネジを、凸レンズ支持機構６２の外側に雄ネジをそれぞれ設け、凸レンズ支持機構６２を外枠６１にねじ込む構成にしても良い。
【００１８】
視野拡大光学系６の他端には、凹レンズ６７が嵌めこみ等により固定されている。この凹レンズ６７と凸レンズ６３間は空洞になっている。この空洞部は、着用者が物を見る際に、物からの反射光が通過する空間であり、空洞内壁での反射を防止するために、外枠６１の内壁は黒く塗られている。
【００１９】
なお、凸レンズ６３および凹レンズ６７は、それぞれ１枚のレンズを用いても良いし、それぞれを複数のレンズ群から構成しても良い。例えば、凸レンズを複数枚組み合わせれば、１枚の凸レンズよりも焦点距離が短くなる。凹レンズの場合も同様である。また、収差を小さくするために、凸レンズと凹レンズを組み合わせることも考えられる。
【００２０】
本考案に係る視野拡大光学系において重要なこと、言い換えると、本質的に必要な構成は、凸レンズ作用を持つ光学系と凹レンズ作用を持つ光学系を、ほぼ同一の光軸上に並べることである。
したがって、凸レンズ作用を持つ光学系は、１枚の凸レンズであっても良いし、複数のレンズ群であっても良い。複数のレンズ群を用いる場合は、レンズ群全体として、凸レンズ作用を有すれば良い。すなわち、レンズ群全体として、正の焦点距離を持てばよい。
同様に、凹レンズ作用を持つ光学系は、１枚の凹レンズであっても良いし、複数のレンズ群であっても良い。複数のレンズ群を用いる場合は、レンズ群全体として、凹レンズ作用を有すれば良い。すなわち、レンズ群全体として、負の焦点距離を持てばよい。
【００２１】
本実施の形態においても、実際には凸レンズ６３および凹レンズ６７は、それぞれ複数のレンズ群から構成されている。上記に述べたように、１枚のレンズであっても複数のレンズからなるレンズ群であっても、原理的には同様であるため、図３等においては、説明の分かり易さを重視して、それぞれ１枚のレンズとして記載している。そして、本実施の形態において使用した凸レンズ６３（実際には凸レンズ作用を有するレンズ群）、および凹レンズ６７（実際には凹レンズ作用を有するレンズ群）のそれぞれの実効的な焦点距離は、それぞれ、約２５ｍｍ、約―１２ｍｍであった。凹レンズの焦点距離は、通常は負の値として表記するため、本考案においてもこの通例にならって表記する。
【００２２】
図２（ｂ）には、２つの視野拡大光学系６を支持棒７を用いて、支持体５に固定する構成を示している。左側の視野拡大光学系６は左目用、右側の視野拡大光学系６は右目用である。それぞれの視野拡大光学系６には支持棒７が固定されている。そして、支持体５には、支持棒７を挿入できる穴が設けられている。この穴に支持棒７を挿入し、適切な位置で、ねじ８を締め付けることで、２つの視野拡大光学系６を支持体５に固定している。このような固定機構を用いることで、左右の視野拡大光学系６を着用者の両眼間隔に応じて、位置調整して固定できる。
【００２３】
次に、視野拡大光学系６が視野拡大効果を発揮する原理について、図４を用いて説明する。図４において、１０は眼球であり、眼球１０が、視野拡大光学系６を通して、物体である矢印Ａを見た際の見え方について説明する。
【００２４】
Ｆ１は凹レンズ６７の焦点位置であり、Ｆ２は凸レンズ６３も焦点位置である。凸レンズ６３の焦点位置Ｆ２は、図４に示すように、凹レンズ６７の焦点位置Ｆ１と同じ位置か、あるいは物体側にあることが必要である。この点については後述する。
まず、凸レンズ６３を取り除いて、眼球が凹レンズ６７を通して矢印Ａを見た場合について考える。矢印Ａの凹レンズ６７による像は、凹レンズ６７よりも矢印Ａ側であり、焦点位置Ｆ１よりもわずかに凹レンズ６７側にできる正立虚像（矢印Ｃ）である。
【００２５】
凹レンズ６７の焦点距離の絶対値よりも、物体である矢印Ａが十分に遠方にある場合には、この正立虚像ができる位置は、ほぼＦ１の位置に一致する。上述したように、凹レンズ６７の実効的な焦点距離は約―１２ｍｍであるので、１ｍ程度離れた位置に矢印Ａがあれば、図４に示すように、この正立虚像のできる位置は、矢印Ｃで表したＦ１と極めて近い位置となる。
【００２６】
次に、凸レンズ６３がある実際の視野拡大光学系６においては、上述の正立虚像である矢印Ｃを、凸レンズ６３を通して見ることになる。凸レンズ６３の焦点位置はＦ２であり、矢印Ｃはこの内側にあるので、凸レンズ６３による像も正立虚像となり、図４における矢印Ｂで表すように、Ｆ２よりも遠方に像ができる。この矢印Ｂが、眼球１０が視野拡大光学系６を通して見る像となる。前述のように、凸レンズ６３の焦点位置Ｆ２を凹レンズ６７の焦点位置Ｆ１と同じ位置か、あるいは物体側になるようにしている理由は、矢印Ｃが正立虚像となるためである。
【００２７】
そして、視野拡大光学系６を通して見る像である矢印Ｂの先端から眼球１０への入射角度Ｚは、実際の物体である矢印Ａの先端から眼球１０への入射角度Ｙよりも小さくなる。すなわち、視野拡大光学系６を通して見ることで、より小さな入射角度で物を見ることができる。
【００２８】
視野が狭くなる症状を有する人の多くは、正面は見えても視野の外側が見えない。これは、視野の外側から入射する光は水晶体によって網膜の外側に結像するが、この網膜の外側に結像する像がなんらかの原因で脳に認識されないためである。
視野拡大光学系６を通して物体を見た場合には、より小さな角度で物体からの光が水晶体に入射し、したがって、脳によって認識可能な網膜の内側に結像するので、視野を広げることができる。
【００２９】
なお、図４においては、視野拡大光学系６の外枠６１が光を遮るので、矢印Ａの先端よりもさらに外側にある物体は見えないようにも考えられるが、実際の光の進路を考えると、図５に示すように、かなり外側の物体も見ることができることが分かる。
【００３０】
この視野拡大光学系６の視野拡大効果を定量的に見積もるため、簡単な実験を行った。
まず、０．８ｍｍ径のピンホールを開けた板を目に接するように置き、このピンホールから外を見ると視野は非常に狭くなる。そして、一定距離離して方眼紙を置き、見えるマス目の数を数えた。次に、視野拡大光学系６をピンホールを開けた板にくっ付け、ピンホールと視野拡大光学系６を通して方眼紙を見て、マス目の数を数えた。視野拡大光学系６を通して見た場合には、数えたマス目の数は約８倍に増加した。すなわち、視野拡大光学系６を通して見ることで、見える面積が８倍に拡大することがわかった。また、その際には、マス目等に歪みは無く、通常と同様の縦横比でマス目が見えた。
【００３１】
次に、この視野拡大光学系６を用いた視野拡大用眼鏡１を着用した際の詳細について説明する。
図２（ａ）から分かるように、２つの視野拡大光学系６は、視野拡大用眼鏡１のフレーム２から、眼球側にやや突き出した構成となっている。そのため、通常の眼鏡よりも眼球に近い位置に、視野拡大光学系６の凸レンズ６３側の一端が位置する。通常の眼鏡の場合、レンズと眼球表面の距離は１２ｍｍ程度であるが、本実施の形態に係る視野拡大用眼鏡１の場合、視野拡大光学系６の凸レンズ６３側の一端と眼球表面の距離は、１ｍｍから４ｍｍ程度が望ましい。１ｍｍよりも近いとまつ毛に当たるため、最低、１ｍｍ程度の距離は必要である。
【００３２】
このように眼球の近くに凸レンズ６３を位置させることで、小さな径の凸レンズでも、視界全体を凸レンズが覆うことが可能となり、より外側の視野も見ることができる。本実施の形態で用いた凸レンズ径は９ｍｍであったが、この大きさで十分に視界全体を凸レンズが覆うことができた。人間の眼の瞳孔は暗闇において最も広がる。この最も広がった状態での瞳孔の大きさは約８ｍｍであり、この瞳孔の広さよりもやや大きめの径が、凸レンズ径として最適であることが分かった。
【００３３】
なお、凸レンズの径を大きくすれば、眼球よりも凸レンズをある程度離しても、視野全体を覆うことが可能である。しかし、その場合には、凸レンズの厚みが径に比例して厚くなり、視野拡大光学系６の全長が長くなり、視野拡大用眼鏡１のフレーム２内に収まらなくなってしまうため、不自然な見かけになる。また、重量が重くなり、着用感にも問題を生じる。
【００３４】
このレンズ径とレンズの厚みの関係については、凹レンズの場合も同様である。すなわち、視野拡大光学系６の全長を短くするためには、できるだけ小さな径の凹レンズを用いることが望ましい。しかし、レンズ面積は入射光量と比例関係にあるため、レンズ径を小さくしすぎると、十分な光量が目に届かす、着用者は暗いと感じてしまう。そのため、本実施の形態においては、凹レンズの直径として２０ｍｍのものを用いた。
このように、凸レンズは瞳孔よりもやや大きめ程度の大きさとし、凹レンズは光量を得るためにやや大きめの構成とすることで、性能を担保しつつ、視野拡大光学系６の大きさをコンパクトにすることができる。
【００３５】
本実施の形態では、このように凸レンズと凹レンズの径を最適化することで、視野拡大光学系６の全長を２２ｍｍ程度とすることができた。この全長であれば、視野拡大用眼鏡１のフレーム２内に収めることができる。そして、フレーム２に設けられた遮光レンズ２１によって、視野拡大光学系６は外からは視認できないため、オーバーサングラスを着用しているのと、全く同様の外観で、自然なイメージで着用することが可能となる。
【００３６】
遮光レンズ２１の働きは、上述したように視野拡大光学系６を隠すことと、本来の役割である日光等の強い光を和らげる働きがある。視野狭窄の人には、羞明の症状を有する者も多い。本考案に係る視野拡大用眼鏡１は、そういった人に対して、視野の拡大とともに、まぶしさ低減することでコントラスト感度を向上させて、物を見えやすくするメリットも同時に提供することができる。
【００３７】
また、この視野拡大用眼鏡１は両眼によって物体を見るが、その際には裸眼で見るのと同様に、両眼視によって遠近感を得ることができる。遠近感は、左右の眼の位置が異なることで、物体からの光の入射角が左右の眼でわずかに異なり、この角度の差を脳が分析することによって得られる。左右の視野拡大用眼鏡１の位置は、それぞれ左右の眼の前の位置にあるため、物体からの光の入射角が、裸眼で見る時と同様に異なるためである。
【００３８】
さらに、視野狭窄と併せて近視の症状を持つ人の場合、この視野拡大用眼鏡１を掛けた際には、遠視や近視を矯正する眼鏡無しに、遠方の風景をはっきりと見ることができる。図４から分かるように、遠方にある物体である矢印Ａの像は、より目に近い矢印Ｂの像として見えるため、近視を矯正する眼鏡と同じ効果があるためである。一方、至近距離にある物体についても、この視野拡大光学系６によって得られる像の位置は、凸レンズの焦点位置よりも遠い位置になるため、遠視の人にとっても見やすい位置となりので、遠視を矯正する眼鏡と同じ効果もある。
【００３９】
また、この視野拡大光学系６は焦点深度が非常に深いため、至近距離にある物体に対しても、遠方にある物体に対しても、焦点が合う。したがって、近くを見ていて急に遠くを見たり、あるいはその逆に視点を移動した場合であっても、目の焦点をほとんど変えずにすべての物体に焦点を合わすことができる。老化あるいは疾患により、焦点調整機能が衰えている人であっても、焦点を合わせることが可能である。
【００４０】
焦点深度が非常に深いことは、視野拡大光学系６の調整も容易にする。凸レンズ６３と凹レンズ６７の距離を変えることはピント調整に相当するが、かなり広い範囲でピントが合うため、微妙な調整は不要である。
【００４１】
以下において、本考案に係る視野拡大光学系とそれを用いた視野拡大用眼鏡の特長についてまとめる。
まず、視野拡大光学系の特長について述べる。
視野を拡大するためには、凹レンズを用いて、その正立虚像を見ることで、眼球への入射角を小さくすることが必要である。この際、入射角を小さくするためには、できるだけ小さな絶対値の焦点距離を持つ凹レンズを用いること、および、眼球から距離を離すことが必要である。このことは、凹レンズの結像に関する初等理論から明らかである。
【００４２】
小さな絶対値の焦点距離を持つ凹レンズを作成することは、技術上、コスト上あるいは材料上の観点から限界があり、通常は本実施例において用いた―１２ｍｍ程度が妥当である。そして、―１２ｍｍ程度の焦点距離の凹レンズで、十分な視野拡大効果を得るためには、眼球から凹レンズを２０ｍｍ程度離すことが必要になるが、その場合には、視野を覆うために、かなり径の大きな凹レンズが必要になる。例えば、１００ｍｍ径程度の大きなレンズが必要となる。
【００４３】
１００ｍｍ径程度の大きな凹レンズで、―１２ｍｍ程度の焦点距離を得ようとすると、高屈折率のレンズを用いたとしても、極めて分厚いレンズとなり、コストが非常に高くなり、また重量や大きさの観点からも、実用上は非常に使い難いものになる。
【００４４】
そこで、本考案においては、眼球近くに凸レンズを設け、凹レンズによる正立虚像を視界全体に拡大することで、凹レンズの径を小さくすることを可能にしている。そして、凸レンズおよび凹レンズの厚みを薄くできるため、オーバーサングラスと同等のサイズのフレームに収まるコンパクトな視野拡大光学系を実現できた。
【００４５】
特に、凸レンズは人の瞳孔の一般的なサイズよりも少し大きめとし、凹レンズは光量を得るために凸レンズよりも大きめにすることで、性能を保持しつつ、視野拡大光学系の大きさを実用上十分に小さくし、使い易く、また眼鏡としても組み込み可能な大きさにできた。
【００４６】
この視野拡大光学系は、ピンホールの実験で示したように、面積比で８倍にも視野を拡大することができるとともに、縦横比が変わらない歪が少ない自然な像を見ることが可能である。
【００４７】
次に、この視野拡大光学系を用いた視野拡大用眼鏡の特長について述べる。
視野拡大用眼鏡のフレームに遮光レンズを用いることで、視野拡大光学系を外から視認できないようにし、見かけ上の問題点を解決した。
また、視野狭窄の人に多くみられる羞明の症状やコントラスト感度の低下を、遮光レンズによる遮光効果で補うことができる。
【００４８】
さらに、両眼視により遠近感を得ることができる。
また、遠視や近視の者でも、矯正用の眼鏡が不要である。
そして、焦点深度が非常に深いため、目のピント調整機能が低下した者であっても、近くから遠方に渡って、容易に焦点を合わせることができる。さらに、視野拡大光学系のピント調整も著しく容易である。
【００４９】
なお、本実施の形態においては、２枚の遮光レンズ２１は、図１に示すようにフレーム２に嵌めこまれていたが、フレーム２に着脱可能、あるいは回転機構により開閉可能に取り付けられるようにしても良い。いわゆる跳ね上げ式のフレーム構成としても良い。ただし、通常の跳ね上げ式眼鏡においては、レンズ部分を前方に９０度程度開くことができるが、略１８０度前方上部に跳ね上げ可能とした方が良い。そうすることで、レンズ部分を跳ね上げた際に、視野拡大光学系６を完全に視野の外に出すことができる。
レンズ部分を跳ね上げ式にすることで、視野拡大用眼鏡１を外すことなく、レンズ部分を跳ね上げて使用することができる。視野狭窄の人は視野が狭いため、一旦視野拡大用眼鏡１を外してどこかに置いてしまうと、探すのに苦労する場合があり、したがって、跳ね上げ式にすることは大きなメッリとがある。
また、家の中ではつまずいたり自動車に注意する必要が無いため、裸眼で見た方が物が実物大で見えるといった点において良い面もある。このような場合、視野拡大用眼鏡１を外すのではなく、視野拡大用眼鏡１を掛けた状態でレンズ部分を跳ね上げて使用することも有効である。例えば、窓から日差しが入り、まぶしさを感じた際に、直ちにレンズ部分を元に戻して対応することができるし、急な外出にも対応できる。
【符号の説明】
【００５０】
１．視野拡大用眼鏡
２．フレーム
３．テンプル
４．鼻パッド
５．支持体
６．視野拡大光学系
７．支持棒
８．ねじ
１０．眼球
２１．遮光レンズ
６１．外枠
６２．凸レンズ支持機構
６３．凸レンズ系
６５．ねじ
６６．ねじ調整部
６７．凹レンズ系
Ａ．被視体
Ｂ．凸レンズによる正立虚像
Ｃ．凹レンズによる正立虚像
Ｙ．被視体の入射角
Ｚ．凸レンジによる正立虚像の入射角
【図１】
0003187514.tif 000003
【図２】
0003187514.tif 000004
【図３】
0003187514.tif 000005
【図４】
0003187514.tif 000006
【図５】
0003187514.tif 000007
【手続補正書】
【提出日】平成25年9月27日(2013.9.27)
【手続補正１】
【補正対象書類名】実用新案登録請求の範囲
【補正対象項目名】全文
【補正方法】変更
【補正の内容】
【実用新案登録請求の範囲】
【請求項１】
外枠と、
当該外枠の内側に設けられた凹レンズまたは凹レンズ作用を有するレンズ群と、
上記外枠の内側に設けられた凸レンズまたは凸レンズ作用を有するレンズ群と、
を備え、
上記凹レンズまたは凹レンズ作用を有するレンズ群と、凸レンズまたは凸レンズ作用を有するレンズ群とは、略同一光軸上に配置され、
上記凸レンズまたは凸レンズ作用を有するレンズ群側から、上記凹レンズまたは凹レンズ作用を有するレンズ群よりも外側にある物体を見る視野狭窄を矯正するための視野拡大光学系であって、
上記凸レンズまたは凸レンズ作用を有するレンズ群の物体側の実効的な焦点位置は、上記凹レンズまたは凹レンズ作用を有するレンズ群の物体側の実効的な焦点位置よりも物体側にある
ことを特徴とする視野拡大光学系。
【請求項２】
上記凸レンズまたは凸レンズ作用を有するレンズ群の外径は、上記凹レンズまたは凹レンズ作用を有するレンズ群の外径よりも小さい
ことを特徴とする請求項１に記載の視野拡大光学系。
【請求項３】
上記凸レンズまたは凸レンズ作用を有するレンズ群の外径は、人の瞳孔の一般的な大きさよりも大きい
ことを特徴とする請求項１または２に記載の視野拡大光学系。
【請求項４】
請求項１から３のいずれか１項に記載の視野拡大光学系を着用時に右目および左目の直前に位置するように構成した視野狭窄を矯正するための視野拡大用眼鏡であって、
遮光レンズを有するフレームと、
当該フレームに視野拡大光学系を固定するための支持機構と、
を備え、
上記遮光レンズは、外部から上記視野拡大光学系を視認しにくい遮光レンズである
ことを特徴とする視野拡大用眼鏡。
【請求項５】
上記フレームは、上記遮光レンズを前方方向への開閉機構である跳ね上げ式機構を有する
ことを特徴とする請求項４に記載の視野拡大用眼鏡。
【請求項６】
上記フレームは、上記遮光レンズを前方上方に略１８０度開閉する跳ね上げ式機構を有する
ことを特徴とする請求項５に記載の視野拡大用眼鏡。
【請求項７】
上記視野拡大用眼鏡着用時に、通常の眼鏡のレンズと眼球表面までの距離に比べて、上記凸レンズまたは凸レンズ作用を有するレンズ群が眼球に近く位置する
ことを特徴とする請求項４から６のいずれかに記載の視野拡大用眼鏡。